(57)【要約】【課題】大流量の用途においても吐出する水流の向きを揃えて無用な飛散を抑制することが可能な便器装置の吐水機構を提供すること。【解決手段】便器装置に給水する給水管路１０と、下流端に吐水口２２を有する吐水部２０と、を備えた便器装置の吐水機構１であって、吐水部２０は、給水管路１０側から吐水口２２に向けて延びる格子３０を有する。一つの例では、吐水部２０は、給水管路１０から分岐するように設けられ、格子３０は、当該分岐する位置を始端として給水管路１０から延出するように形成される。また、他の例では、格子３０は、当該分岐する位置から所定間隔を空けた位置を始端として延出するように形成される。【選択図】図４
2017179755.tif 000002
【特許請求の範囲】
【請求項１】
便器装置に給水する給水管路と、下流端に吐水口を有する吐水部と、を備えた便器装置の吐水機構であって、
前記吐水部は、前記給水管路側から前記吐水口に向けて延びる格子を有する、
便器装置の吐水機構。
【請求項２】
前記吐水部は、前記給水管路から分岐するように設けられ、前記格子は、当該分岐する位置を始端として前記給水管路から延出するように形成されている請求項１に記載の便器装置の吐水機構。
【請求項３】
前記吐水部は、前記給水管路から分岐するように設けられ、前記格子は、当該分岐する位置から所定間隔を空けた位置を始端として延出するように形成されている請求項１に記載の便器装置の吐水機構。
【請求項４】
前記格子は、前記給水管路と一体に成形されている、請求項１から３の何れか一項に記載の便器装置の吐水機構。
【請求項５】
前記吐水部は、横断面が前記給水管路の延びる方向に長い閉じた形状を成す、請求項１から４の何れか一項に記載の便器装置の吐水機構。
【請求項６】
前記格子は、前記吐水口の断面中央に位置する管体部と前記管体部の周面から放射状に設けられた複数の格子板部とを有する、請求項１から５の何れか一項に記載の便器装置の吐水機構。
【請求項７】
前記格子は、自己の上流端から下流端までの長さが前記吐水部横断面の長手方向寸法の１０分の１以上である、請求項１から６の何れか一項に記載の便器装置の吐水機構。
【請求項８】
前記格子の下流端に接しない下流位置にメッシュ部材を有する、請求項１から７の何れか一項に記載の便器装置の吐水機構。
【請求項９】
前記メッシュ部材は、前記格子の下流端からの間隔が、前記吐水部横断面の長手方向寸法が２０ｍｍ、短手方向寸法が１１ｍｍであり、且つ、前記格子の上流端から下流端までの長さが５．８５ｍｍ〜８．７ｍｍである場合に、４ｍｍである、請求項８に記載の便器装置の吐水機構。
【発明の詳細な説明】
【技術分野】
【０００１】
本発明は、便器装置の吐水機構に関する。
【背景技術】
【０００２】
水源から供給される水を給水管路を通して洗浄水タンクへと吐水させるための便器装置の吐水機構（以下、適宜、単に「吐水機構」という）が従来より種々提案されている。このような吐水機構に要求される機能の一つとして、水流の乱れを抑制して、水が周囲へ無用に飛散しないようにすることが求められる。また吐水口から流れ落ちた水が洗浄水タンク内の水面を強く叩くことによって発生する騒音を抑制する機能も求められる。
【０００３】
そこで、供給される水を主流部から下方へ分岐する吐水部に導き、吐水部内に配置した拡散部材によって吐水部の内周方向へ拡散し、更に二段重ねの整流網を通して均一に吐出される技術が提案されている（例えば、特許文献１参照）。
【先行技術文献】
【特許文献】
【０００４】
【特許文献１】特開２０１０−２２２９０９
【発明の概要】
【発明が解決しようとする課題】
【０００５】
しかしながら、特許文献１に開示された技術では、給水管路を通して供給される水を吐水部へと分流した後に整流を行う構成であるため、大流量には適さない。
また、敢えて大流量の用途に適合させようとする場合には、水流の偏りを抑えるために、拡散部材の開口を狭くする必要がある。ところが、このようにすると、流管の圧損が増大して、さほど流量を増加させることはできない。
【０００６】
本発明は、上記の状況に鑑みてなされたものであり、大流量の用途においても吐出する水流の向きを揃えて無用な飛散を抑制することが可能な便器装置の吐水機構を提供することを目的とする。
【課題を解決するための手段】
【０００７】
上記目的を達成するため、ここに次のような技術を提案する。
（１）便器装置に給水する給水管路（例えば、後述する給水管路１０）と、下流端に吐水口（例えば、後述する吐水口２２）を有する吐水部（例えば、後述する吐水部２０）と、を備えた便器装置の吐水機構（例えば、後述する吐水機構１）であって、前記吐水部は、前記給水管路側から前記吐水口に向けて延びる格子（例えば、後述する格子３０）を有する、便器装置の吐水機構。
【０００８】
上記（１）の便器装置の吐水機構では、吐水が行われる間、吐水口から吐出される流水は吐水部を通るときに格子によって整流される。このため、吐水口から吐出した水が無用に飛散してしまうことが無い。
【０００９】
（２）前記吐水部は、前記給水管路から分岐するように設けられ、前記格子は、当該分岐する位置を始端として前記給水管路から延出するように形成されている（１）の便器装置の吐水機構。
【００１０】
上記（２）の便器装置の吐水吐水機構では、（１）の便器装置の吐水機構において特に、格子を、給水管路からの分岐位置を始端として給水管路から延出するように形成することにより、吐水部における流水路が比較的短くとも格子の流水の流れ方向の長さを十分にとることができる。このため、吐水部を比較的小型にしつつ、十分な整流作用を得ることができる。
【００１１】
（３）前記吐水部は、前記給水管路から分岐するように設けられ、前記格子は、当該分岐する位置から所定間隔を空けた位置を始端として延出するように形成されている（１）の便器装置の吐水機構。
【００１２】
上記（３）の便器装置の吐水機構では、（１）の便器装置の吐水機構において特に、吐水部を比較的小型にしつつ、十分な整流作用を得ることができる。
【００１３】
（４）前記格子は、前記給水管路と一体に成形されている、（１）から（３）の何れか一の便器装置の吐水機構。
【００１４】
上記（４）の便器装置の吐水機構では、（１）から（３）の何れか一の便器装置の吐水機構において特に、吐水機構を、格子を含んだ単一の部品として構成できるため、吐水機構の構成部品数を少なくして、製造工程を簡素化でき、且つ、メンテナンス用部品の管理を簡素化することができる。
【００１５】
（５）前記吐水部は横断面が前記給水管路の延びる方向に長い閉じた形状を成す、（１）から（４）の何れか一の便器装置の吐水機構。
【００１６】
上記（５）の便器装置の吐水機構では、（１）から（４）の何れか一の便器装置の吐水機構において特に、吐水部が給水管路の外径幅から突出しないスリムな外形を持ちながら、吐水口の断面積を極力大きくし、且つ、大きな整流作用を得て、大流量の用途にも適合させることが可能になる。
【００１７】
（６）前記格子は、前記吐水口の断面中央に位置する管体部（例えば、後述する管体部３１）と前記管体部の周面から放射状に設けられた複数の格子板部（例えば、後述する格子板部３２）とを有する（１）から（５）の何れか一の便器装置の吐水機構。
【００１８】
上記（６）の便器装置の吐水機構では、（１）から（５）の何れか一の便器装置の吐水機構において特に、前記吐水口の断面中央に位置する管体部と前記管体部の周面から放射状に設けられた複数の格子板部とを有するため、流水断面の中心部と周辺部とにおいて流水の分布に偏在が生じない効果的な整流作用を得ると共に、格子としての所要の機械的強度を持たせることができる。
【００１９】
（７）前記格子は、自己の上流端から下流端までの長さが前記吐水部横断面の長手方向寸法の１０分の１以上である、（１）から（６）の何れか一の便器装置の吐水機構。
【００２０】
上記（７）の便器装置の吐水機構では、（１）から（６）の何れか一の便器装置の吐水機構において特に、格子を、その上流端から下流端までの長さが前記吐水部横断面の長手方向寸法の１０分の１以上であるように規定することによって、小型化をはかりつつ十分な整流作用を発揮させることができる。
【００２１】
（８）前記格子の下流端に接しない下流位置にメッシュ部材（例えば、後述するメッシュ部材４０）を有する、（１）から（７）の何れか一の便器装置の吐水機構。
【００２２】
上記（８）の便器装置の吐水機構では、（１）から（７）の何れか一の便器装置の吐水機構において特に、メッシュ部材を格子の下流端に接しない下流位置に設けることによって、流水に対する整流作用が一層高まり、吐水音が静かになる。
【００２３】
（９）前記メッシュ部材は、前記格子の下流端からの間隔が、前記吐水部横断面の長手方向寸法が２０ｍｍ、短手方向寸法が１１ｍｍであり、且つ、前記格子の上流端から下流端までの長さが５．８５ｍｍ〜８．７ｍｍである場合に、４ｍｍである、（８）の便器装置の吐水機構。
【００２４】
上記（９）の便器装置の吐水機構では、（８）の便器装置の吐水機構において特に、メッシュ部材を、前記格子の下流端からの間隔が、前記吐水部横断面の長手方向寸法が２０ｍｍ、短手方向寸法が１１ｍｍであり、且つ、前記格子の上流端から下流端までの長さが５．８５ｍｍ〜８．７ｍｍである場合に、４ｍｍとなる位置に配することによって、小型化をはかりつつ効果的な整流作用を発揮させることができる。
【発明の効果】
【００２５】
本発明によれば、大流量の用途においても吐出する水流の向きを揃えて無用な飛散を抑制することが可能な便器装置の吐水機構を具現することができる。
【図面の簡単な説明】
【００２６】
【図１】本発明の吐水機構を適用する便器装置の斜視図である。
【図２】図１の便器装置の外周壁部内における本発明の一実施形態としての吐水機構の配置を各機能部の配置と共に示す正面斜視図である。
【図３】図２の吐水機構及び各機能部を異なる視点で見た斜視図である。
【図４】本発明の一実施形態としての吐水機構の部分破断側面図である。
【図５】図４の吐水機構を上方視した図である。
【図６】図４の吐水機構の要部拡大側断面図である。
【発明を実施するための形態】
【００２７】
以下、本発明の一実施形態について、図面を参照して詳細に説明する。
図１は、本発明の吐水機構を適用する便器装置の斜視図である。
図１の便器装置１００は、外周壁部１１０で全周が囲まれて構成された便器本体１０１
の内側に便鉢部（不図示）を有している。便器本体１０１の上部には便蓋１０２が設けられ、その後方に連なって後部上面カバー１０３が設けられている。後部上面カバー１０３で上方が覆われた便器本体１０１の後方の部分には、給水、貯水、洗浄等に係る各種機能を担う機能部１０４が設けられている。機能部１０４の側方（本例では使用者が便器本体１０１に着座した姿勢で左側）に洗浄操作を行うための洗浄スイッチ１０５が設けられている。
外周壁部１１０の内部には、床面及び便鉢部（何れも不図示）と外周壁部１１０の内側との間の空間に給水機能部、洗浄タンク、及び、洗浄水吐出のための機能部等々が収納されている。
即ち、この便器装置１００は、後述する洗浄タンクを含む各種の機能部を外周壁部１１０内に収容した構成を採る。これらの機能部については、図２及び図３を参照して説明する。
【００２８】
図２は、図１の便器装置の外周壁部内における本発明の一実施形態としての吐水機構の配置を各機能部の配置と共に示す斜視図である。
図３は、図２の吐水機構及び各機能部を異なる視点で見た斜視図である。即ち、図３は、吐水機構近傍の洗浄水タンクの上部を部分的に開放した状態を、後側の左上方からの視点で見た斜視図である。
図２及び図３において、対応部には同一の符号が附されている。
【００２９】
以下の説明では、便器本体１０１に着座した姿勢での使用者による視座で前後左右の向きを表す。即ち、既述の洗浄スイッチ１０５は便器装置１００の左側に設けられ、これと反対側が右側である。従って、図２では、図に向かって、右から左に向かう方向が便器装置１００の左右方向であり、紙面の手前から奥側に向かう方向が便器装置１００の前後方向である。また図３では、図に向かって、斜め左下から斜め右上に向かう方向が、便器装置１００の左右方向であり、斜め左上から斜め右下に向かう方向が、便器装置１００の前後方向である。
【００３０】
図２において、中央の主洗浄水タンク２００は、図１における外周壁部１１０の内部であって床面と便鉢部（何れも不図示）の間の空間に設置される。主洗浄水タンク２００の
後方左には主洗浄水タンク２００よりも背高の第１副洗浄水タンク２１０が設けられ、主洗浄水タンク２００の後方右には主洗浄水タンク２００よりも背高で第１副洗浄水タンク２１０よりも低い第２副洗浄水タンク２２０が設けられている。
主洗浄水タンク２００、第１副洗浄水タンク２１０、及び、第２副洗浄水タンク２２０は連通している。
【００３１】
主洗浄水タンク２００の上方中央部には、便鉢部の溜水貯留部（不図示）の下側に隆起した外面に対応して凹陥した凹部２０１が形成されて、全体として便鉢部の下部と床面との間の空間形状に適合するように形成されている。
第１副洗浄水タンク２１０は上部副洗浄水タンク部２１１と下部副洗浄水タンク部２１２に分かれて構成され、両者は連通している。
第２副洗浄水タンク２２０の上方には、ポンプモータを内蔵した加圧ポンプユニット３００が配されている。加圧ポンプユニット３００の吸込み口側（図では見えない）は第２副洗浄水タンク２２０へと配管（図では見えない）で接続されている。加圧ポンプユニット３００の吐出口側には洗浄水給水管３１０が接続され、洗浄水給水管３１０は下流側で第１リム給水管３１１と第２リム給水管３１２とに分岐している。第１リム給水管３１１及び第２リム給水管３１２の下流端側に、それぞれ洗浄水の吐出口（不図示）が設けられている。
【００３２】
一方、既述のように連通した主洗浄水タンク２００、第１副洗浄水タンク２１０、及び、第２副洗浄水タンク２２０への給水は、第１副洗浄水タンク２１０の上部副洗浄水タンク部２１１に水道等の水源からの水が吐水されることにより行われる。
このために、上部副洗浄水タンク部２１１の上方から注水するための給水路４００が設けられている。
給水路４００は、水道等の水源からの水を給水する外部給水管（不図示）が上流側（図２及び図３では下側）に接続される給水管４１０と、給水管４１０の下流側（図２及び図３では上側）に接続され給水管４１０と上部副洗浄水タンク部２１１を結ぶ、本実施形態の吐水機構１を含んで構成されている。即ち、吐水機構１は、その給水管路１０の上流側に給水管４１０が接続され、給水管路１０の下流側の吐水部２０が上部副洗浄水タンク部２１１の上部に接続され、吐水部２０の分岐導水部２１の下流端の吐水口２２が上部副洗浄水タンク部２１１内に向けて開口している。
【００３３】
ここで、図３は、吐水機構１の近傍の上部副洗浄水タンク部２１１の上部を覆っている部材を部分的に取り除いた状態を、後側の左上方からの視点で表している。
上部副洗浄水タンク部２１１は、吐水機構１からの吐水を受けて貯留する給水貯留部２１１ａと、給水貯留部２１１ａでオーバーフローした給水を取り入れて排水する取水口２１１ｂとがオーバーフロー板２１１ｃによって隔てられている。
【００３４】
次に、図４、図５、及び、図６を参照して本実施形態の吐水機構１について詳細に説明する。
図４は、本発明の一実施形態としての吐水機構の部分破断側面図である。
図５は、図４の吐水機構を上方視した図である。
図６は、図４の吐水機構の要部拡大側断面図である。
図４、図５、及び、図６において、対応部には同一の符号が附されている。
【００３５】
吐水機構１は便器装置１００に給水する給水管路１０と、給水管路１０から分岐するように設けられ流水の流れ方向を給水管路１０内の流れ方向と交差する方向に導き且つ下流端に吐水口２２を有する吐水部２０と、を備えている。
給水管路１０は一端側（上流端側）に給水管４１０と接続されるフランジ部１１を有し、他端側（下流端側）は、図６より容易に理解される通り、内周面に雌ねじ１２が形成された開口端部１３となっている。
本例の吐水機構１は、この開口端部１３がキャップ１５（二点鎖線により図示）によって閉塞されて用いられる。
【００３６】
吐水部２０は、給水管路１０からの分岐位置に形成されて流水を導く分岐導水部２１内を吐水口２２に向けて延びた格子３０を有する。本実施形態では、格子３０は、吐水部２０における分岐導水部２１の、給水管路１０からの分岐位置を始端として給水管路１０側から直接延出するように形成されている。本実施形態では、格子３０は、給水管路１０と一体に形成されている。
また、分岐導水部２１における格子３０の下流端から間隔を空けた下流位置にメッシュ部材４０が設けられている。
【００３７】
本実施形態において、吐水部２０は、横断面が給水管路１０の延びる方向に長い閉じた形状を成すが、その一つの態様では、図５に示されたように、吐水部２０は横断面が楕円形である。即ち、本例では、分岐導水部２１は、その分岐端から吐水口２２に到る部分の横断面が楕円形である。図５の場合、分岐導水部２１は、その横断面が、給水管路１０の幅方向の領域内に収まる寸法のものとして形成されている。なお、吐水部２０の横断面の形状は、給水管路１０の延びる方向に長ければ、トラック形状でも、長方形でもよい。
また、図５において、吐水口２２のメッシュ部材４０を透かして底面形状が認識され、且つ、図４及び図６から部分従断面が認識されるように、格子３０は、吐水口２２の断面中央に位置する管状の管体部３１と、管体部３１の周面から放射状に設けられた複数（本例では１２枚）の板状の格子板部３２とを有する。
【００３８】
また、図６に表された、格子３０におけるその上流端から下流端までの長さｄは、格子板部３２の厚み寸法よりも大きく、例えば、吐水部２０の横断面の長手方向寸法の１０分の１以上とすることが推奨される。また、メッシュ部材４０と、格子３０の下流端との間隔ｒは、例えば、吐水部２０の横断面の長手方向寸法が２０ｍｍ、短手方向寸法が１１ｍｍであり、且つ、格子３０の上述の長さｄが５．８５ｍｍ〜８．７ｍｍである場合に、４ｍｍとすることは好ましい。
【００３９】
次に、本実施形態の便器装置の吐水機構１の作用について説明する。
洗浄スイッチ１０５（図１）が操作されて、連通した主洗浄水タンク２００、第１副洗浄水タンク２１０、及び、第２副洗浄水タンク２２０の貯留水が一定量洗浄に用いられると、各タンクの水位が下がる。このように洗浄に用いられた貯留水の量に応じて各タンク２００，２１０，２２０の水位が下がると、バルブ（不図示）の切替えによって、給水管４１０及び吐水機構１を経て、水源からの水が第１副洗浄水タンク２１０の上部副洗浄水タンク部２１１に吐水される。
【００４０】
この吐水が行われる間、給水管路１０を通った水は吐水部２０の分岐導水部２１を通して給水管路１０の流水の流れと交差する方向（本例の場合は鉛直下方）に導かれ、吐水口２２から吐出して、第１副洗浄水タンク２１０の上部からタンク内に吐水される。本例では、図６を参照して既述のように、給水管路１０の下流端はキャップ１５によって閉塞されるため、給水管路１０を通る水は、略全量、分岐導水部２１を通して第１副洗浄水タンク２１０内に吐出され、給水貯留部２１１ａへと注水される。
このとき、分岐導水部２１を通る水は、格子３０によって整流される。このため、分岐導水部２１の下流端の吐水口２２から吐出した水は、無用に飛散してしまうことが無い。即ち、分岐導水部２１の下流端の吐水口２２から吐出した水は、専ら、第１副洗浄水タンク２１０の給水貯留部２１１ａ側に吐出する。このため、第１副洗浄水タンク２１０におけるオーバーフロー板２１１ｃで仕切られた取水口２１１ｂに直接注がれて、無駄に排水されてしまうことが有効に回避される。
【００４１】
本実施形態では特に、格子３０は、分岐導水部２１内を吐水口２２に向けて延びたものであるため、大流量の用途においても吐出する水流を効果的に整流して無用な飛散を抑制することができる。
更に、格子３０によって整流された水は、水流に偏りを生じていないため、第１副洗浄水タンク２１０の水面を部分的に強く叩いて大きな騒音を発生させてしまうようなことがない。
また、格子３０を、分岐導水部２１の給水管路１０からの分岐位置を始端として給水管路１０側から直接延出するように形成すると、分岐導水部２１の全長が比較的短くとも格子３０の流水の流れ方向の長さを十分にとることができる。このため、格子３０を上述のように形成した場合には、吐水部２０を比較的小型にしつつ、十分な整流作用を得ることができる。
【００４２】
一方、本発明者等は、種々実験と考究を重ね、格子３０を、分岐導水部２１の給水管路１０からの分岐位置から所定間隔を空けた位置を始端として延出するように形成すると、大きな整流作用が生じるという知見を得た。従って、分岐導水部２１の給水管路１０からの分岐位置から格子３０の始端まで幾分かの間隔を空ける構成も、整流作用を得るについて有効である。
【００４３】
他方、格子３０は、給水管路１０と一体に成形するようにしてもよい。この場合は、吐水機構１を、格子３０を含んだ単一の部品として構成できるため、吐水機構１の構成部品数を少なくして、製造工程を簡素化でき、且つ、メンテナンス用部品の管理を簡素化することができる。
【００４４】
更にまた、メッシュ部材４０は、分岐導水部２１における格子３０の下流端から間隔ｒを空けた下流位置に設けられる（図６参照）。メッシュ部材４０をこのように配置することによって、流水に対する整流作用が一層高まり、吐水音が静かになる。
【００４５】
図５におけるように、分岐導水部２１と吐水口２２を含む吐水部２０は横断面が給水管路１０の延びる方向に長径の楕円形にしてある。これにより、分岐導水部２１及び吐水口２２が給水管路１０の外径幅から突出しないスリムな外形を持ちながら、吐水口の断面積を極力大きくして、且つ、格子板部３２，３２の枚数を極力増やすことにより大きな整流作用を得て、大流量の用途にも適合させることが可能になる。
【００４６】
また、図５より容易に理解される通り、格子３０は、吐水口２２の断面中央に位置する管体部３１と管体部３１の周面から放射状に設けられた複数（本例では１２枚）の格子板部３２，３２とを有する。格子３０をこのように構成することにより、流水断面の中心部と周辺部とにおいて流水の分布に偏在が生じない効果的な整流作用を得ると共に、格子３０としての所要の機械的強度を持たせることができる。
【００４７】
なお、格子３０は、自己の上流端から下流端までの長さ、即ち、図６における長さｄが吐水部横断面の長手方向寸法の１０分の１以上であることは一つの例として推奨できる。
即ち、長さｄをこのように規定することによって、小型化をはかりつつ十分な整流作用を発揮させることができる。
【００４８】
また、格子３０の下流端からメッシュ部材４０までの間隔、即ち、図６における間隔ｒが、吐水部横断面の長手方向寸法が２０ｍｍ、短手方向寸法が１１ｍｍであり、且つ、前記格子の上流端から下流端までの長さが５．８５ｍｍ〜８．７ｍｍである場合に、４ｍｍであることは一つの例として推奨できる。
即ち、間隔ｒをこのように規定することによって、小型化をはかりつつ効果的な整流作用を発揮させることができる。
【００４９】
なお、本発明は上記実施形態に限定されるものではなく、本発明の目的を達成できる範囲内での変形、改良等は本発明に含まれる。
例えば、図６を参照して既述の例では、給水管路１０の下流端はキャップ１５によって閉塞し、給水管路１０を通る水を、略全量、分岐導水部２１を通して第１副洗浄水タンク２１０（上部副洗浄水タンク部２１１）内に吐出させたが、これに替えて、キャップ１５を設けずに給水管路１０の下流端を開放し、ここから下流側の他部、例えば、手洗部に給水するように構成してもよい。
この構成によれば、手洗部への給水系統を簡素化し、手洗い用の給水を洗浄水タンクへの給水と同時に管理することができる。
その他、本発明の要旨を逸脱しない種々の変形例や変更例は、本発明に包摂される。
【符号の説明】
【００５０】
１…吐水機構
１０…給水管路
２０…吐水部
２１…分岐導水部
２２…吐水口
３０…格子
３１…管体部
３２…格子板部
４０…メッシュ部材
１００…便器装置
【図１】
2017179755.tif 000003
【図２】
2017179755.tif 000004
【図３】
2017179755.tif 000005
【図４】
2017179755.tif 000006
【図５】
2017179755.tif 000007
【図６】
2017179755.tif 000008